(57)【特許請求の範囲】
【請求項１】
取付部品に突設されたボスと、
被取付物に形成された取付孔と、
前記ボスに予組み付けされて、前記取付孔に挿入されることにより、前記取付部品を前記被取付物に固定するクリップとを備え、
前記ボスは、軸心から半径方向に突出し、前記ボスの長さ方向に伸びる縦リブを周方向に複数有し、
前記クリップには、前記ボスを挿入する受入孔が形成され、この受入孔の内周には、周方向に伸びると共に、前記受入孔の中心に向かって次第に近接するように形成された複数の渦巻きリブが設けられ、
前記ボスを前記クリップの前記受入孔に挿入して、前記クリップを前記ボスに対して相対回動したとき、前記縦リブに前記渦巻きリブが食い込むように構成されており、
前記取付部品の前記ボスの基部を囲む部分と、その部分に当接する前記クリップの一方の端面との間には、前記クリップの受入孔を囲む円周上に配置された凹凸からなる嵌合部が設けられていることを特徴とする部品の取付構造。
【請求項２】
取付部品に突設されたボスと、
被取付物に形成された取付孔と、
前記ボスに予組み付けされて、前記取付孔に挿入されることにより、前記取付部品を前記被取付物に固定するクリップとを備え、
前記ボスは、軸心から半径方向に突出し、前記ボスの長さ方向に伸びる縦リブを周方向に複数有し、
前記クリップには、前記ボスを挿入する受入孔が形成され、この受入孔の内周には、周方向に伸びると共に、前記受入孔の中心に向かって次第に近接するように形成された複数の渦巻きリブが設けられ、
前記ボスを前記クリップの前記受入孔に挿入して、前記クリップを前記ボスに対して相対回動したとき、前記縦リブに前記渦巻きリブが食い込むように構成されており、
前記取付孔の内周には、前記渦巻きリブの前記受入孔の中心に近接した方の終端部を通って前記受入孔の軸方向に伸びる線上に配置され、前記渦巻きリブよりも前記受入孔の軸方向に長く伸びる突部が、前記渦巻きリブの終端部よりも前記受入孔の中心から離れるように設けられ、前記縦リブの突出方向の面には、前記突部よりも前記受入孔の軸方向に長く伸びる凹部が設けられ、前記クリップを回動させて、前記縦リブに前記渦巻きリブが食い込んで係合した状態において、前記突部と前記凹部とが係合して戻り止めをなすように構成されていることを特徴とする部品の取付構造。
【請求項３】
前記渦巻きリブの前記受入孔の中心に近接した方の終端部に隣接して、前記渦巻きリブの傾斜よりも急角度で突出した突部からなる全回ストッパが設けられている請求項１又は２記載の部品の取付構造。
【発明の詳細な説明】
【０００１】
【発明の属する技術分野】
本発明は、ボスが突設された取付部品を、取付孔が形成された被取付物に固定するための、部品の取付構造に関するものである。
【０００２】
【従来の技術】
従来、ボスが突設された取付部品を、取付孔が形成された被取付パネルに固定するための取付構造として、例えば特開平１１−２５７３１７号公報に開示された部品の取付構造が知られている。
【０００３】
上記特開平１１−２５７３１７号公報の部品の取付構造は、対の関係にある複数のリブ壁を有するボスが突設された取付部品を、全体としてＵ字状をなし、その両側壁に、前記対の関係にあるリブ壁間に食い付く、対の関係にある複数の突起を有する樹脂クリップを介して、取付孔を穿設した被取付部材に取付ける取付構造である。
【０００４】
上記部品の取付構造によれば、樹脂クリップの両側壁に形成された突起の間隔巾をリブ壁間の距離よりも大きくなるよう設定することにより、ボス側の対の関係にあるリブ壁間に樹脂クリップ側の対の関係にある突起をその寸法差を利用して食い込ませ、樹脂クリップとボスとを強固に一体化することができるので、部品を被取付部材に安定して確実に取付けることができる。また、被取付部材が金属製であっても、その取付孔に挿入されるクリップを樹脂製としたので、クリップと被取付部材とがこすれるときの不快な音の発生を防止できる。
【０００５】
【発明が解決しようとする課題】
しかしながら、最近では、取付部品と被取付部材とが多様化し、それらを固定するために更に高い係合力が要求されるケースがある。
【０００６】
そこで、本発明の目的は、クリップとボスとがより高い係合力で係合する部品の取付構造を提供することにある。
【０００７】
【課題を解決するための手段】
上記目的を達成するため、本発明の第１は、取付部品に突設されたボスと、被取付物に形成された取付孔と、前記ボスに予組み付けされて、前記取付孔に挿入されることにより、前記取付部品を前記被取付物に固定するクリップとを備え、前記ボスは、軸心から半径方向に突出し、前記ボスの長さ方向に伸びる縦リブを周方向に複数有し、前記クリップには、前記ボスを挿入する受入孔が形成され、この受入孔の内周には、周方向に伸びると共に、前記受入孔の中心に向かって次第に近接するように形成された複数の渦巻きリブが設けられ、前記ボスを前記クリップの前記受入孔に挿入して、前記クリップを前記ボスに対して相対回動したとき、前記縦リブに前記渦巻きリブが食い込むように構成されており、前記取付部品の前記ボスの基部を囲む部分と、その部分に当接する前記クリップの一方の端面との間には、前記クリップの受入孔を囲む円周上に配置された凹凸からなる嵌合部が設けられていることを特徴とする部品の取付構造を提供するものである。
【０００８】
上記第１の発明によれば、ボスをクリップの受入孔に挿入して、クリップをボスに対して相対回動させることにより、周方向に沿って受入孔の中心に向かって次第に近接する渦巻きリブがボスの縦リブに次第に深く食い込んでいく。その結果、強い力を必要とせずに、渦巻きリブを縦リブに深く、しかも縦リブの幅方向に広く食い込ませることができるので、クリップとボスとの係合力を高めることができる。
また、上記凹凸を嵌合させることにより、前記クリップの前記渦巻きリブが前記ボスの縦リブに食い込むとき、前記クリップの拡開が前記凹凸の嵌合によって制止されるので、前記渦巻きリブを前記縦リブに効果的に食い込ませることができる。
【０００９】
本発明の第２は、取付部品に突設されたボスと、被取付物に形成された取付孔と、前記ボスに予組み付けされて、前記取付孔に挿入されることにより、前記取付部品を前記被取付物に固定するクリップとを備え、前記ボスは、軸心から半径方向に突出し、前記ボスの長さ方向に伸びる縦リブを周方向に複数有し、前記クリップには、前記ボスを挿入する受入孔が形成され、この受入孔の内周には、周方向に伸びると共に、前記受入孔の中心に向かって次第に近接するように形成された複数の渦巻きリブが設けられ、前記ボスを前記クリップの前記受入孔に挿入して、前記クリップを前記ボスに対して相対回動したとき、前記縦リブに前記渦巻きリブが食い込むように構成されており、前記取付孔の内周には、前記渦巻きリブの前記受入孔の中心に近接した方の終端部を通って前記受入孔の軸方向に伸びる線上に配置され、前記渦巻きリブよりも前記受入孔の軸方向に長く伸びる突部が、前記渦巻きリブの終端部よりも前記受入孔の中心から離れるように設けられ、前記縦リブの突出方向の面には、前記突部よりも前記受入孔の軸方向に長く伸びる凹部が設けられ、前記クリップを回動させて、前記縦リブに前記渦巻きリブが食い込んで係合した状態において、前記突部と前記凹部とが係合して戻り止めをなすように構成されていることを特徴とする部品の取付構造を提供するものである。
【００１０】
上記第２の発明によれば、ボスをクリップの受入孔に挿入して、クリップをボスに対して相対回動させることにより、周方向に沿って受入孔の中心に向かって次第に近接する渦巻きリブがボスの縦リブに次第に深く食い込んでいく。その結果、強い力を必要とせずに、渦巻きリブを縦リブに深く、しかも縦リブの幅方向に広く食い込ませることができるので、クリップとボスとの係合力を高めることができる。
また、ボスをクリップの受入孔に挿入して、クリップをボスに対して相対回動させることにより、渦巻きリブがボスの縦リブに次第に深く食い込んで係合したとき、前記縦リブ凹部に前記渦巻きリブの終端部の突部が係合して回り止めがなされる。その結果、予組み付け後、ボスが逆回転して縦リブと渦巻きリブとの係合が解除されるのを防ぐことができる。
【００１１】
本発明の第３は、前記第１の発明において、前記渦巻きリブの前記受入孔の中心に近接した方の終端部に隣接して、前記渦巻きリブの傾斜よりも急角度で突出した突部からなる全回ストッパが設けられている部品の取付構造を提供するものである。
【００１２】
上記第３の発明によれば、予組み付けの際、縦リブが渦巻きリブの受入孔の中心に近接した方の終端部を乗り越えて、縦リブと渦巻きリブとの係合が解除されるのを防ぐことができる。
【００１３】
また、ボスを挿入する際には、渦巻きリブの受入孔の中心から離れている部分又は渦巻きリブがない部分に縦リブが配置されるようにして挿入する必要があるが、上記全回ストッパの上記ストッパ作用をなす面と反対側の面が、隣接する渦巻きリブの受入孔の中心から離れている部分又は渦巻きリブがない部分に位置するので、上記反対側の面をガイドにしてボスを挿入することもできる。
【００１４】
なお、上記第１〜３の発明において、前記渦巻きリブは、その前記受入孔の中心に近接した方の端部が、前記受入孔の中心から離れている方の端部の位置よりも、前記ボスのクリップへの挿入方向にずれた位置にある、雄ネジ状であることが好ましい。
【００１５】
この態様によれば、ボスをクリップの受入孔に挿入して、クリップをボスに対して相対回動したとき、渦巻きリブが縦リブに、ネジ込まれるように食い込むため、クリップには、ボスが突設された取付部品に近接する方向にネジ力が作用し、クリップと取付部品とを密接させることができる。
【００１８】
更に、前記渦巻きリブの終端を、前記渦巻きリブの他の部分よりも緩い傾斜面とすることが好ましい。
【００１９】
この態様によれば、クリップをボスに対して相対回動させて、渦巻きリブを縦リブに食い込ませて係合させたとき、その状態で渦巻きリブの傾斜が緩やかになることにより、渦巻きリブの傾斜に沿って逆回転して上記係合が解除されてしまうのを防止することができる。
【００２０】
【発明の実施の形態】
図１〜７には、本発明による部品の取付構造の一実施形態が示されている。図１は、本発明による部品の取付構造を構成するクリップとボスを、一部を切欠いて示す斜視図である。図２はボスの正面図である。図３は図２のＣ−Ｃ’矢示線に沿ったボスの断面図である。図４はクリップの正面図である。図５はクリップの底面図である。図６は図４のＤ−Ｄ’矢示線に沿ったクリップの断面図である。図７はクリップとボスとを予組み付けするときの動作説明図である。
【００２１】
図１に示すように、この部品の取付構造は、取付部品１２に突設されたボス１１にクリップ２１を装着し、このクリップ２１を図示しない被取付物の取付孔に挿入して嵌合させることによって、取付部品１２を被取付物に固定する構造に関するものである。
【００２２】
図１〜３に示すように、ボス１１は、周方向に９０度ずれた４箇所に、軸心から半径方向に突出し、ボス１１の長さ方向に伸びる縦リブ１３を有している。縦リブ１３の突出方向の面には、ボス１１の長さ方向に伸びる縦溝１４（本発明の凹部に該当する）が形成されている。
【００２３】
図１及び図４〜６に示すように、クリップ２１は、フランジ２２と、フランジ２２の片面から突設された筒状体２３とからなり、筒状体２３の内部には、前記ボス１１が挿入される受入孔２４が形成されている。受入孔２４は、フランジ２２と筒状体２３の軸心を貫通して形成され、フランジ２２側の開口部がボス１１の挿入口となっている。
【００２４】
筒状体２３は、正四角柱の角部を面取りして八角柱としたような外形をなし、周方向に９０度ずれた位置にある４つの側面の中央部には、片持ち梁状の弾性係止片２５が打抜き状に形成されている。面取り部４０は、クリップ２１をボス１１に予組付けするときに作業者の指がフィットして作業者が力を入れ易くなっている。弾性係止片２５は、フランジ２２に近接した方の端部が遊離されていて、フランジ２２に向かって徐々に外方に突出し、頂部２５ａから突出高さが急激に下がる段部２５ｂを有している。そして、筒状体２３を図示しない被取付物の取付孔に挿入すると、弾性係止片２５が内側に撓んで頂部２５ａが取付孔を通過し、段部２５ｂとフランジ２２との間に取付孔の周縁が挟持されて、クリップ２１が取付孔に固定されるようになっている。
【００２５】
なお、被取付物の取付孔は、上記弾性係止片２５の全てが係合する正方形、円形等の孔であってもよく、上記弾性係止片２５のうち対向する一対のものだけが係合する長方形等の細長い孔であってもよい。後者の場合には、取付部品や被取付物の寸法誤差によって多少の位置ずれが生じても、取付けが可能となるという利点が得られる。
【００２６】
クリップ２１の受入孔２４の内面であって、弾性係止片２５が形成されていない内壁面には、周方向に沿って伸びると共に、受入孔２４の中心に向かって次第に高くなるように突出し、軸方向に沿って見たときにそれらの稜線が渦巻状をなす渦巻きリブ２８が形成されている。この実施形態では、渦巻きリブ２８は、前記ボス１１に対応して４ヶ所に形成されている。
【００２７】
更に、受入孔２４の内面には、渦巻きリブ２８の高い方の終端部を通り受入孔２４の軸方向に伸びるリブ状の全回ストッパ２９が形成されている。図７（ｂ）に示すように、この全回ストッパ２９は、ボス１１をクリップ２１に挿入し、クリップ２１をボス１１に対して相対回動させて予組み付け状態としたとき、その渦巻きリブ２８の終端部に接する第一側面２９ａが、ボス１１の縦リブ１３の側面に当接して、クリップ２１が必要以上に回動するのを防止する。また、全回ストッパ２９の、第一側面２９ａに対向する第二側面２９ｂは、ボス１１をクリップ２１に挿入するとき、ボス１１の縦リブ１３を渦巻きリブ２８の低い部分又は渦巻きリブ２８がない部分に配置させるためのガイドになる。なお、全回ストッパ２９は、渦巻きリブ２８の終端部を通って受入孔２４の軸方向に伸びる線上に配置されていればよく、必ずしも渦巻きリブ２８に接して設けられている必要はない。
【００２８】
更にまた、受入孔２４の内面の、全回ストッパ２９の第一側面２９ａと縦リブ１３の側面とが当接した状態で、縦リブ１３の縦溝１４が配置される位置には、渦巻きリブ２８から受入孔２４の軸方向に伸びる戻り止め突起３２が設けられている。この戻り突起３２は、縦リブ１３が全回ストッパ２９の第一側面２９ａに当接し、渦巻きリブ２８が縦リブ１３に食い込んで係合した状態で、前記縦リブ１３の縦溝１４に係合し、クリップ２１がボス１１に対して逆方向に回転して係合が解除されてしまうのを防止するもので、この戻り突起３２と縦溝１４とが本発明の戻り止めをなす。
【００２９】
次に、この部品の取付構造の作用について説明する。
取付部品を被取付部品に取付けるのに先立って、取付部品１２に突設されたボス１１に、クリップ２１を予組み付けしておく。この作業は、ボス１１をクリップ２１の受入孔２４に挿入することによってなされる。すなわち、図７（ａ）に示すように、ボス１１の縦リブ１３が、クリップ２１の受入孔２４内周の渦巻きリブ２８の高さの低い部分、又は渦巻きリブ２８が設けられていない部分に位置するように位置決めして、ボス１１をクリップ２１の受入孔２４に挿入する。なお、上記位置決めは、ボス１１の縦リブ１３を全回ストッパ２９の第二側面２９ｂに当接させることにより容易になされる。
【００３０】
この状態で、クリップ２１を図中矢印Ｂで示す方向に回動させることにより、ボス１１の縦リブ１３が渦巻きリブ２８の高い方向へ移動し、渦巻きリブ２８が縦リブ１３に徐々に食い込んでいく。こうして、図７（ｂ）に示すように、ボス１１の縦リブ１３が全回ストッパ２９の第一側面２９ａに当接するまでクリップ２１を回動させると、渦巻きリブ２８の周端部近傍まで縦リブ１３に食い込み、クリップ２１とボス１１とが強固に連結される。なお、このとき、クリップ２１の戻り突起３２が縦リブ１３の縦溝１４に係合し、クリップ２１がボス１１に対して逆方向に回転して係合が解除されてしまうのを防止する。
【００３１】
この部品の取付構造によれば、ボス１１をクリップ２１の受入孔２４に挿入して、クリップ２１をボス１１に対して相対回動させるだけで、渦巻きリブ２８を縦リブ１３の幅方向に広くかつ深く食い込ませて、強い係合力を付与することができる。また、全回ストッパ２９によって、ボス１１のクリップ２１の受入孔２４への挿入時の位置決めが容易となると共に、クリップ２１をボス１１に対して相対回動させたときに、クリップ２１が回動しすぎて縦リブ１３が渦巻きリブ２８の最も高い部分を乗り越えてしまうのを防止できる。
【００３２】
図８〜１２には本発明による部品の取付構造の他の実施形態が示されている。図８は同取付構造のボスの正面図である。図９は図８のＦ−Ｆ’矢示線に沿ったボスの断面図である。図１０は同取付構造のクリップの正面図である。図１１は同取付構造のクリップの底面図である。図１２は、図１１のＧ−Ｇ’矢示線に沿ったクリップの断面図である。なお、以下の実施形態の説明においては、前記実施形態と実質的に同一部分には同符号を付して、その説明を省略又は簡略化することにする。
【００３３】
この実施形態では、図８〜９に示すように、取付部品１２のボス１１の基部外周に、ボス１１を囲む環状溝部４２が形成されている。また、図１０〜１２に示すように、クリップ２１の受入孔２４の外周に環状突部５２が設けられている。そして、ボス１１をクリップ２１の受入孔２４に挿入したとき、上記クリップ２１の環状突部５２が、上記取付部品１２の環状溝部４２に挿入されるようになっている。
【００３４】
上記の状態からクリップ２１を相対回動させると、縦リブ１３が渦巻きリブ２８の突出高さの高くなった部分に接したとき、クリップ２１には強い拡開力が作用する。しかし、この実施形態では、クリップ２１の環状突部５２が取付部品１２の環状溝部４２に挿入されているので、クリップ２１の拡開が制止され、渦巻きリブ２８を縦リブ１３に効果的に食い込ませることができる。
【００３５】
図１３〜１５には、クリップ２１の上記環状突部５２の代わりに、周方向に短く伸びる突部５６を複数設けた別の実施形態が示されている。すなわち、クリップ２１の上記突部５６が、図８〜９に示した取付部品１２の環状溝部４２に嵌入することにより、クリップ２１の拡開を制止することができる。なお、突部５６は、渦巻きリブ５８の外周に位置する部分に設けることが好ましい。
【００３６】
図１６〜２０には、クリップ２１の拡開を制止するための構造を変えた別の実施形態が示されている。図１６〜１７に示すように、取付部品１２のボス１１の外周には、縦リブ１３が形成された部分に対応して複数の円弧状の突部４６が形成されている。また、図１８〜２０に示すように、クリップ２１のフランジ２２の下面には、上記ボス１１を受入孔２４に挿入したとき、上記突部４６が挿入される環状溝部６２が形成されている。この実施形態においても、突部４６が環状溝部６２に嵌入することにより、クリップ２１の拡開を制止することができる。
【００３７】
図２１には本発明による部品の取付構造の更に他の実施形態が示されている。この実施形態では、クリップ２１の受入孔２４の内周に形成された渦巻きリブ６６が、その突出高さの高い方の端部を突出高さの低い方の端部よりも、前記ボス１１のクリップ２１への挿入方向にずれた位置に設けられている。すなわち、渦巻きリブ６６が、受入孔２４の軸方向に対して直交する面（図２１におけるフランジ２２の下端面）から角度θ傾斜して雄ネジ状に形成されている。
【００３８】
上記クリップ２１によれば、前記ボス１１を受入孔２４に挿入して、クリップ２１を相対回動させたとき、渦巻きリブ６６が縦リブ１３に、ネジ込まれるように食い込むため、クリップ２１には、ボス１１が突設された取付部品１２に近接する方向にネジ力が作用し、クリップ２１と取付部品１２とを密接させることができる。。
【００３９】
図２２〜２３には本発明による部品の取付構造の更に他の実施形態が示されている。図２２は同取付構造のボスの断面図であり、図２３は同取付構造のクリップの底面図である。
【００４０】
図２２に示すように、この実施形態では、ボス１１の縦リブ１３が周方向に３等分した角度で３方向に突出している。また、図２３に示すように、クリップ２１の渦巻きリブ２８も、上記縦リブ１３に対応して、受入孔２４の内周の３箇所に形成されている。その他の構成は、前記図１〜７に示した実施形態と同様である。このように、ボスの縦リブとクリップの渦巻きリブは、互いに対応する位置に設けられることが好ましいが、それらの数は適宜選択することができる。
【００４１】
【発明の効果】
以上説明したように、本発明によれば、ボスをクリップの受入孔に挿入して、クリップをボスに対して相対回動させることにより、周方向に沿って次第に高くなる渦巻きリブがボスの縦リブに次第に深く食い込んでいく。その結果、強い力を必要とせずに、渦巻きリブを縦リブに深く、しかも縦リブの幅方向に広く食い込ませることができるので、クリップとボスとの係合力を高めることができる。
【図面の簡単な説明】
【図１】本発明の一実施形態による部品の取付構造を構成するクリップとボスを、一部を切欠いて示す斜視図である。
【図２】同取付構造におけるボスの正面図である。
【図３】図２のＣ−Ｃ’矢示線に沿ったボスの断面図である。
【図４】同取付構造におけるクリップの正面図である。
【図５】同取付構造におけるクリップの底面図である。
【図６】図５のＤ−Ｄ’矢示線に沿ったクリップの断面図である。
【図７】クリップとボスとを予組み付けするときの動作説明図である。
【図８】本発明の他の実施形態による部品の取付構造におけるボスの正面図である。
【図９】図８のＦ−Ｆ’矢示線に沿ったボスの断面図である。
【図１０】同取付構造におけるクリップの正面図である。
【図１１】同クリップの底面図である。
【図１２】図１１のＧ−Ｇ’矢示線に沿ったクリップの断面図である。
【図１３】本発明の更に他の実施形態による部品の取付構造を示すクリップの正面図である。
【図１４】同クリップの底面図である。
【図１５】図１１のＨ−Ｈ’矢示線に沿ったクリップの断面図である。
【図１６】本発明の更に他の実施形態による部品の取付構造を示すボスの正面図である。
【図１７】図１６のＩ−Ｉ’矢示線に沿ったボスの断面図である。
【図１８】同取付構造におけるクリップの正面図である。
【図１９】同クリップの底面図である。
【図２０】図１９のＪ−Ｊ’矢示線に沿ったクリップの断面図である。
【図２１】本発明の更に他の実施形態による部品の取付構造を示すクリップの断面図である。
【図２２】本発明の更に他の実施形態による部品の取付構造におけるボスの断面図である。
【図２３】同取付構造におけるクリップの底面図である。
【符号の説明】
１１  ボス
１２  取付部品
１３  縦リブ
２１  クリップ
２４  受入孔
２８  渦巻きリブ
２９  全回ストッパ
３２  戻り止め突起
【図１】
0003838865.tif 000002
【図２】
0003838865.tif 000003
【図３】
0003838865.tif 000004
【図４】
0003838865.tif 000005
【図５】
0003838865.tif 000006
【図６】
0003838865.tif 000007
【図７】
0003838865.tif 000008
【図８】
0003838865.tif 000009
【図９】
0003838865.tif 000010
【図１０】
0003838865.tif 000011
【図１１】
0003838865.tif 000012
【図１２】
0003838865.tif 000013
【図１３】
0003838865.tif 000014
【図１４】
0003838865.tif 000015
【図１５】
0003838865.tif 000016
【図１６】
0003838865.tif 000017
【図１７】
0003838865.tif 000018
【図１８】
0003838865.tif 000019
【図１９】
0003838865.tif 000020
【図２０】
0003838865.tif 000021
【図２１】
0003838865.tif 000022
【図２２】
0003838865.tif 000023
【図２３】
0003838865.tif 000024